(57)【特許請求の範囲】
【請求項１】
テレビ放送信号を受信する機器に用いられ、オートサーチ手法によって放送波が受信可能なチャンネル（以下、有放送チャンネルという）を自動的にプリセットする自動チャンネルプリセット方法であって、
第Ｎ（Ｎは、１〜チャンネルプランにおける最大チャンネル数）チャンネルの周波数ｆＮ、当該周波数ｆＮから予め定めた周波数α分を上側にシフトした周波数（ｆＮ＋α）、および当該周波数ｆＮから予め定めた周波数β分を下側にシフトした周波数（ｆＮ−β）のそれぞれを選局周波数として選局動作を行い、信号を受信するステップと、
前記選局動作によって受信する信号のうち、当該信号の選局周波数から予め定めた周波数α分下側となる周波数帯域の信号成分を減衰させるステップと、
前記周波数ｆＮで選局した場合、前記周波数（ｆＮ＋α）で選局した場合、および前記周波数（ｆＮ−β）で選局した場合のそれぞれにおいて、前記減衰させるステップが出力する信号のうちの水平・垂直同期信号の有無をそれぞれ判別するステップと、
前記周波数ｆＮで選局した際に水平・垂直同期信号が有り、かつ、前記周波数（ｆＮ＋α）で選局した際に水平・垂直同期信号が無く、かつ、前記周波数（ｆＮ−β）で選局した際に水平・垂直同期信号が有る場合に、前記第Ｎチャンネルが前記有放送チャンネルであると判断するステップと、
前記有放送チャンネルであると判断したチャンネルのみをプリセットするステップとを有する、自動チャンネルプリセット方法。
【請求項２】
前記周波数ｆＮにおける選局動作時の電界強度を検出するステップと、
前記周波数ｆＮにおける選局動作によって得られる信号について、水平・垂直同期信号のノイズ量を検出するステップと、
前記電界強度が強電界であって、かつ、前記ノイズ量が多い場合には、前記周波数（ｆＮ＋α）および前記周波数（ｆＮ−β）における選局動作時の信号増幅利得を下げるステップとをさらに有する、請求項１に記載の自動チャンネルプリセット方法。
【請求項３】
前記予め定めた周波数αは、第Ｎチャンネルの映像搬送波と下側である第（Ｎ−１）チャンネルの音声搬送波との周波数差である１．５ＭＨｚであり、前記予め定めた周波数βは、映像中間周波増幅回路の特性に基づいた周波数であることを特徴とする、請求項１または２に記載の自動チャンネルプリセット方法。
【請求項４】
テレビ放送信号を受信する機器に用いられ、オートサーチ手法によって放送波が受信可能なチャンネル（以下、有放送チャンネルという）を自動的にプリセットする自動チャンネルプリセット方法であって、
第Ｎ（Ｎは、１〜チャンネルプランにおける最大チャンネル数）チャンネルの周波数ｆＮ、および当該周波数ｆＮから予め定めた周波数α分を上側にシフトした周波数（ｆＮ＋α）のそれぞれを選局周波数として選局動作を行い、信号を受信するステップと、
前記選局動作によって受信する信号のうち、当該信号の選局周波数から予め定めた周波数α分下側となる周波数帯域の信号成分を減衰させるステップと、
前記周波数ｆＮで選局した場合、および前記周波数（ｆＮ＋α）で選局した場合で選局した場合のそれぞれにおいて、前記減衰させるステップが出力する信号のうちの水平・垂直同期信号の有無をそれぞれ判別するステップと、
前記周波数ｆＮで選局した際に水平・垂直同期信号が有り、かつ、前記周波数（ｆＮ＋α）で選局した際に水平・垂直同期信号が有る場合に、前記第Ｎチャンネルが前記有放送チャンネルでないと判断するステップとを有する、自動チャンネルプリセット方法。
【請求項５】
テレビ放送信号を受信する機器に用いられ、オートサーチ手法によって放送波が受信可能なチャンネル（以下、有放送チャンネルという）を自動的にプリセットする自動チャンネルプリセット装置であって、
チューナに対し、第Ｎ（Ｎは、１〜チャンネルプランにおける最大チャンネル数）チャンネルの周波数ｆＮ、当該周波数ｆＮから予め定めた周波数α分を上側にシフトした周波数（ｆＮ＋α）、および当該周波数ｆＮから予め定めた周波数β分を下側にシフトした周波数（ｆＮ−β）のそれぞれを選局周波数として選局動作を行うように指示する選局制御マイコンと、
前記選局制御マイコンの指示に従って、対応する前記選局周波数における選局動作を行って信号を受信する前記チューナと、
前記チューナが受信する信号のうち、当該信号の選局周波数から予め定めた周波数α分下側となる周波数帯域の信号成分を減衰させるトラップ手段と、
前記周波数ｆＮで選局した場合、前記周波数（ｆＮ＋α）で選局した場合、および前記周波数（ｆＮ−β）で選局した場合のそれぞれにおいて、前記トラップ手段が出力する信号のうちの水平・垂直同期信号の有無をそれぞれ判別する同期判別手段とを備え、
前記選局制御マイコンは、前記周波数ｆＮで選局した際に水平・垂直同期信号が有り、かつ、前記周波数（ｆＮ＋α）で選局した際に水平・垂直同期信号が無く、かつ、前記周波数（ｆＮ−β）で選局した際に水平・垂直同期信号が有る場合に、前記第Ｎチャンネルが前記有放送チャンネルであると判断し、当該判断した有放送チャンネルのみをプリセットすることを特徴とする、自動チャンネルプリセット装置。
【請求項６】
前記チューナは、前記選局制御マイコンに対し、前記周波数ｆＮにおける選局動作時の電界強度を通知し、
前記周波数ｆＮにおける選局動作によって受信する信号について、水平・垂直同期信号のノイズ量を検出するノイズ検出手段をさらに備え、
前記選局制御マイコンは、前記電界強度が強電界であって、かつ、前記ノイズ量が多い場合には、前記チューナの信号増幅利得を下げて前記周波数（ｆＮ＋α）および前記周波数（ｆＮ−β）における選局動作を行うことを特徴とする、請求項５に記載の自動チャンネルプリセット装置。
【請求項７】
前記予め定めた周波数αは、第Ｎチャンネルの映像搬送波と下側である第（Ｎ−１）チャンネルの音声搬送波との周波数差である１．５ＭＨｚであり、前記予め定めた周波数βは、映像中間周波増幅回路の特性に基づいた周波数であることを特徴とする、請求項５または６に記載の自動チャンネルプリセット装置。
【請求項８】
テレビ放送信号を受信する機器に用いられ、オートサーチ手法によって放送波が受信可能なチャンネル（以下、有放送チャンネルという）を自動的にプリセットする自動チャンネルプリセット装置であって、
チューナに対し、第Ｎ（Ｎは、１〜チャンネルプランにおける最大チャンネル数）チャンネルの周波数ｆＮ、および当該周波数ｆＮから予め定めた周波数α分を上側にシフトした周波数（ｆＮ＋α）のそれぞれを選局周波数として選局動作を行うように指示する選局制御マイコンと、
前記選局制御マイコンの指示に従って、対応する前記選局周波数における選局動作を行って信号を受信する前記チューナと、
前記チューナが受信する信号のうち、当該信号の選局周波数から予め定めた周波数α分下側となる周波数帯域の信号成分を減衰させるトラップ手段と、
前記周波数ｆＮで選局した場合、および前記周波数（ｆＮ＋α）で選局した場合のそれぞれにおいて、前記トラップ手段が出力する信号のうちの水平・垂直同期信号の有無をそれぞれ判別する同期判別手段とを備え、
前記選局制御マイコンは、前記周波数ｆＮで選局した際に水平・垂直同期信号が有り、かつ、前記周波数（ｆＮ＋α）で選局した際に水平・垂直同期信号が有る場合に、前記第Ｎチャンネルが前記有放送チャンネルでないと判断することを特徴とする、自動チャンネルプリセット装置。
【請求項９】
テレビ放送信号を受信する機器において実行され、オートサーチ手法によって放送波が受信可能なチャンネル（以下、有放送チャンネルという）を自動的にプリセットするためのコンピュータプログラムを記録した媒体であって、
第Ｎ（Ｎは、１〜チャンネルプランにおける最大チャンネル数）チャンネルの周波数ｆＮ、当該周波数ｆＮから予め定めた周波数α分を上側にシフトした周波数（ｆＮ＋α）、および当該周波数ｆＮから予め定めた周波数β分を下側にシフトした周波数（ｆＮ−β）のそれぞれを選局周波数として選局動作を行い、信号を受信するステップと、
前記選局動作によって受信する信号のうち、当該信号の選局周波数から予め定めた周波数α分下側となる周波数帯域の信号成分を減衰させるステップと、
前記周波数ｆＮで選局した場合、前記周波数（ｆＮ＋α）で選局した場合、および前記周波数（ｆＮ−β）で選局した場合のそれぞれにおいて、前記減衰させるステップが出力する信号のうちの水平・垂直同期信号の有無をそれぞれ判別するステップと、
前記周波数ｆＮで選局した際に水平・垂直同期信号が有り、かつ、前記周波数（ｆＮ＋α）で選局した際に水平・垂直同期信号が無く、かつ、前記周波数（ｆＮ−β）で選局した際に水平・垂直同期信号が有る場合に、前記第Ｎチャンネルが前記有放送チャンネルであると判断するステップと、
前記有放送チャンネルであると判断したチャンネルのみをプリセットするステップとを含む動作環境を、前記機器上で実現するためのコンピュータプログラムを記録した記録媒体。
【請求項１０】
前記周波数ｆＮにおける選局動作時の電界強度を検出するステップと、
前記周波数ｆＮにおける選局動作によって得られる信号について、水平・垂直同期信号のノイズ量を検出するステップと、
前記電界強度が強電界であって、かつ、前記ノイズ量が多い場合には、前記周波数（ｆＮ＋α）および前記周波数（ｆＮ−β）における選局動作時の信号増幅利得を下げるステップとをさらに含む、請求項９に記載の記録媒体。
【発明の詳細な説明】
【０００１】
【発明の属する技術分野】
本発明は、自動チャンネルプリセット方法および装置に関し、より特定的には、テレビジョン受像機等のテレビ放送信号を受信する機器において、放送されているチャンネルを自動的に検出してプリセット（設定）を行う自動チャンネルプリセット方法および装置に関する。
【０００２】
【従来の技術】
従来から、テレビジョン受像機等における自動チャンネルプリセット方法として、地域設定方法、オートサーチ方法、および地域設定方法とオートサーチ方法とを併用した方法の３種類の自動チャンネルプリセット方法が一般的に用いられている。
【０００３】
地域設定方法は、数年前から採用され始めた方法であり、次のようなものである。予め日本全国を幾つかの地域に分割して、各地域ごとに受信できそうな放送波の周波数一覧を作成し、この周波数一覧の情報をテレビジョン受像機のメモリ等に記憶しておく。そして、テレビジョン受像機は、チャンネルプリセット動作の際に、ユーザにテレビジョン受像機設置場所の該当地域（以下、ユーザ地域という）を選択指示させ、この選択指示された地域の周波数をメモリ等から読み出すことで放送チャンネルを一義的にプリセットする。
【０００４】
オートサーチ方法は、自動微調整回路（ＡＦＴ回路）を用いた方法であり、次のようなものである。テレビジョン受像機は、チャンネルプリセット動作を指示されると、受信周波数を日本国内であれば１ｃｈ（９１．２５ＭＨｚ）から６２ｃｈ（７６５．２５ＭＨｚ）まで（以下、これらの各チャンネルを総称してチャンネルプランという）連続的に変化させ、各々のチャンネルにおいて同調したときに発生するＡＦＴ電圧が得られたか否かを判断する。そして、同調したときに発生するＡＦＴ電圧が得られたチャンネルには放送波が存在すると判断して、当該チャンネルのみをプリセットする。
図５に、従来のオートサーチ方法を用いた自動チャンネルプリセット装置の構成を示す。
【０００５】
【発明が解決しようとする課題】
しかしながら、上述した地域設定方法、オートサーチ方法および地域設定方法にオートサーチ方法を併用した方法のいずれにおいても、ユーザ地域で実際に放送されているチャンネルを正確に選択することができないという場合が発生している。
【０００６】
まず、地域設定方法においては、ユーザの所在地が放送エリアの境目に位置するような場合、ユーザの所在地の立地条件・環境によっては、地域分割により予め設定した放送波の一部が届かないことがあり、この場所において地域設定方法によるチャンネルプリセット動作を行うと、受信できていないチャンネルがプリセットされるという問題が生じる。また、このような場合、ユーザの所在地の立地条件・環境によっては、選択指示したユーザ地域に隣接する他の地域の放送波が届くことがあり、この場所において地域設定方法によるチャンネルプリセット動作を行うと、受信できているチャンネルがプリセットされないという問題が生じる。
【０００７】
この地域設定方法における問題を解決する手法として、日本全国のチャンネル受信状況を完璧に把握して分割する地域をさらに細分化するということが考えられるが、この場合、分割する地域があまりにも膨大な数となってしまい現実的には不可能である。
【０００８】
次に、オートサーチ方法においては、弱電界時の誤動作や妨害波（テレビ放送のチャンネルプランに関係のない信号）をテレビ放送と誤って受信する誤動作や、隣接チャンネル妨害による誤動作等が発生するという問題がある。しかも、オートサーチ方法では、ＡＦＴ回路が必要不可欠であり、チャンネルプリセット回路のコストアップに加え、製造工程において精密な調整が必要という課題も残っている。
【０００９】
また、地域設定方法にオートサーチ方法を併用した方法においては、いずれの方法を先に実行するかが関係し、確かに先に実行した方法の問題点は緩和されるが、後に実行した方法の問題が依然残っているのが現状である。
【００１０】
それ故、本発明の目的は、ＡＦＴ回路を用いることなく簡単な回路構成によって、誤動作を生じることのないテレビジョン受像機等の自動チャンネルプリセット方法および装置を提供することである。
【００１１】
【課題を解決するための手段および発明の効果】
第１の発明は、テレビ放送信号を受信する機器に用いられ、オートサーチ手法によって放送波が受信可能なチャンネル（以下、有放送チャンネルという）を自動的にプリセットする自動チャンネルプリセット方法であって、
第Ｎ（Ｎは、１〜チャンネルプランにおける最大チャンネル数）チャンネルの周波数ｆＮ、当該周波数ｆＮから予め定めた周波数α分を上側にシフトした周波数（ｆＮ＋α）、および当該周波数ｆＮから予め定めた周波数β分を下側にシフトした周波数（ｆＮ−β）のそれぞれを選局周波数として選局動作を行い、信号を受信するステップと、
選局動作によって受信する信号のうち、当該信号の選局周波数から予め定めた周波数α分下側となる周波数帯域の信号成分を減衰させるステップと、
周波数ｆＮで選局した場合、周波数（ｆＮ＋α）で選局した場合、および周波数（ｆＮ−β）で選局した場合のそれぞれにおいて、減衰させるステップが出力する信号のうちの水平・垂直同期信号の有無をそれぞれ判別するステップと、
周波数ｆＮで選局した際に水平・垂直同期信号が有り、かつ、周波数（ｆＮ＋α）で選局した際に水平・垂直同期信号が無く、かつ、周波数（ｆＮ−β）で選局した際に水平・垂直同期信号が有る場合に、第Ｎチャンネルが有放送チャンネルであると判断するステップと、
有放送チャンネルであると判断したチャンネルのみをプリセットするステップとを有する。
【００１２】
上記のように、第１の発明によれば、弱電界での不安定な状態での周波数の判別を行わなくて済む。また、受信信号の有無を同期信号で判別するため、判別のための周波数特性も広い帯域を必要とせず雑音による誤動作の可能性も大きく軽減できる。さらに、受信周波数を特定周波数分ずらすことにより、その付近の他のチャンネルのスプリアス成分を誤って受信することによる同期判別の誤動作も軽減出来る。従って、上記従来の方法に比べ、より高速でかつ正確なチャンネルプリセット動作を行うことができる。
【００１３】
第２の発明は、第１の発明において、周波数ｆＮにおける選局動作時の電界強度を検出するステップと、
周波数ｆＮにおける選局動作によって得られる信号について、水平・垂直同期
信号のノイズ量を検出するステップと、
電界強度が強電界であって、かつ、ノイズ量が多い場合には、周波数（ｆＮ＋α）および周波数（ｆＮ−β）における選局動作時の信号増幅利得を下げるステップとをさらに有する。
【００１４】
上記のように、第２の発明によれば、第１の発明において、ＡＧＣ電圧が低く、かつノイズ量が多い時にノイズ量が少なくなるように信号増幅利得を制御することで当該方法を用いる装置内での混変調の発生を防止し、誤動作（誤検出）の発生を回避すると共に、減衰するステップでの減衰量のバラツキによる誤動作の発生をも回避することができる。従って、上記第１の発明に比べ、さらに精度の高いチャンネルプリセット動作を行うことができる。
【００１５】
第３の発明は、第１および第２の発明において、予め定めた周波数αは、第Ｎチャンネルの映像搬送波と下側である第（Ｎ−１）チャンネルの音声搬送波との周波数差である１．５ＭＨｚであり、予め定めた周波数βは、映像中間周波増幅回路の特性に基づいた周波数であることを特徴とする。
上記のように、第３の発明は、第１および第２の発明における典型的な周波数設定および判断手法を特定したものである。
【００１６】
第４の発明は、テレビ放送信号を受信する機器に用いられ、オートサーチ手法によって放送波が受信可能なチャンネル（以下、有放送チャンネルという）を自動的にプリセットする自動チャンネルプリセット方法であって、
第Ｎ（Ｎは、１〜チャンネルプランにおける最大チャンネル数）チャンネルの周波数ｆＮ、および当該周波数ｆＮから予め定めた周波数α分を上側にシフトした周波数（ｆＮ＋α）のそれぞれを選局周波数として選局動作を行い、信号を受信するステップと、
選局動作によって受信する信号のうち、当該信号の選局周波数から予め定めた周波数α分下側となる周波数帯域の信号成分を減衰させるステップと、
周波数ｆＮで選局した場合、および周波数（ｆＮ＋α）で選局した場合で選局した場合のそれぞれにおいて、減衰させるステップが出力する信号のうちの水平・垂直同期信号の有無をそれぞれ判別するステップと、
周波数ｆＮで選局した際に水平・垂直同期信号が有り、かつ、周波数（ｆＮ＋α）で選局した際に水平・垂直同期信号が有る場合に、第Ｎチャンネルが有放送チャンネルでないと判断するステップとを有する。
【００１７】
上記のように、第４の発明によれば弱電界での不安定な状態での周波数の判別を行わなくて済む。また、受信信号の有無を同期信号で判別するため、判別のための周波数特性も広い帯域を必要とせず雑音による誤動作の可能性も大きく軽減できる。さらに、受信周波数を特定周波数分ずらすことにより、その付近に存在している何らかの信号、すなわち、妨害波を誤って受信することによる同期判別の誤動作も軽減出来る。従って、上記従来の方法に比べ、より高速でかつ正確なチャンネルプリセット動作を行うことができる。
【００１８】
第５の発明は、テレビ放送信号を受信する機器に用いられ、オートサーチ手法によって放送波が受信可能なチャンネル（以下、有放送チャンネルという）を自動的にプリセットする自動チャンネルプリセット装置であって、
チューナに対し、第Ｎ（Ｎは、１〜チャンネルプランにおける最大チャンネル数）チャンネルの周波数ｆＮ、当該周波数ｆＮから予め定めた周波数α分を上側にシフトした周波数（ｆＮ＋α）、および当該周波数ｆＮから予め定めた周波数β分を下側にシフトした周波数（ｆＮ−β）のそれぞれを選局周波数として選局動作を行うように指示する選局制御マイコンと、
選局制御マイコンの指示に従って、対応する選局周波数における選局動作を行って信号を受信するチューナと、
チューナが受信する信号のうち、当該信号の選局周波数から予め定めた周波数α分下側となる周波数帯域の信号成分を減衰させるトラップ手段と、
周波数ｆＮで選局した場合、周波数（ｆＮ＋α）で選局した場合、および周波数（ｆＮ−β）で選局した場合のそれぞれにおいて、トラップ手段が出力する信号のうちの水平・垂直同期信号の有無をそれぞれ判別する同期判別手段とを備え、
選局制御マイコンは、周波数ｆＮで選局した際に水平・垂直同期信号が有り、かつ、周波数（ｆＮ＋α）で選局した際に水平・垂直同期信号が無く、かつ、周波数（ｆＮ−β）で選局した際に水平・垂直同期信号が有る場合に、第Ｎチャンネルが有放送チャンネルであると判断し、当該判断した有放送チャンネルのみをプリセットすることを特徴とする。
【００１９】
上記のように、第５の発明によれば、ＡＦＴ回路の削除によるコストダウンが図れると共に、弱電界での不安定な状態での周波数の判別を行わなくて済む。また、受信信号の有無を同期信号で判別するため、同期判別手段の周波数特性も広い帯域を必要とせず雑音による誤動作の可能性も大きく軽減できる。さらに、受信周波数を特定周波数分ずらすことにより、その付近の他のチャンネルのスプリアス成分を誤って受信することによる同期判別の誤動作も軽減出来る。従って、上記従来の方法に比べ、より高速でかつ正確なチャンネルプリセット動作を行うことができる。
【００２０】
第６の発明は、第５の発明において、チューナは、選局制御マイコンに対し、周波数ｆＮにおける選局動作時の電界強度を通知し、
周波数ｆＮにおける選局動作によって受信する信号について、水平・垂直同期信号のノイズ量を検出するノイズ検出手段をさらに備え、
選局制御マイコンは、電界強度が強電界であって、かつ、ノイズ量が多い場合には、チューナの信号増幅利得を下げて周波数（ｆＮ＋α）および周波数（ｆＮ−β）における選局動作を行うことを特徴とする。
【００２１】
上記のように、第６の発明によれば、第５の発明において、ＡＧＣ電圧が低く、かつノイズ量が多い時にノイズ量が少なくなるようにチューナの信号増幅利得を制御することで自己の装置内での混変調の発生を防止し、誤動作（誤検出）の発生を回避すると共に、トラップ手段での減衰量のバラツキによる誤動作の発生をも回避することができる。従って、上記第５の発明に比べ、さらに精度の高いチャンネルプリセット動作を行うことができる。
【００２２】
第７の発明は、第５および第６の発明において、予め定めた周波数αは、第Ｎチャンネルの映像搬送波と下側である第（Ｎ−１）チャンネルの音声搬送波との周波数差である１．５ＭＨｚであり、予め定めた周波数βは、映像中間周波増幅回路の特性に基づいた周波数であることを特徴とする。
上記のように、第７の発明は、第５および第６の発明における典型的な周波数設定および判断手法を特定したものである。
【００２３】
第８の発明は、テレビ放送信号を受信する機器に用いられ、オートサーチ手法によって放送波が受信可能なチャンネル（以下、有放送チャンネルという）を自動的にプリセットする自動チャンネルプリセット装置であって、
チューナに対し、第Ｎ（Ｎは、１〜チャンネルプランにおける最大チャンネル数）チャンネルの周波数ｆＮ、および当該周波数ｆＮから予め定めた周波数α分を上側にシフトした周波数（ｆＮ＋α）のそれぞれを選局周波数として選局動作を行うように指示する選局制御マイコンと、
選局制御マイコンの指示に従って、対応する選局周波数における選局動作を行って信号を受信するチューナと、
チューナが受信する信号のうち、当該信号の選局周波数から予め定めた周波数α分下側となる周波数帯域の信号成分を減衰させるトラップ手段と、
周波数ｆＮで選局した場合、および周波数（ｆＮ＋α）で選局した場合のそれぞれにおいて、トラップ手段が出力する信号のうちの水平・垂直同期信号の有無をそれぞれ判別する同期判別手段とを備え、
選局制御マイコンは、周波数ｆＮで選局した際に水平・垂直同期信号が有り、かつ、周波数（ｆＮ＋α）で選局した際に水平・垂直同期信号が有る場合に、第Ｎチャンネルが有放送チャンネルでないと判断することを特徴とする。
【００２４】
上記のように、第８の発明によれば、ＡＦＴ回路の削除によるコストダウンが図れると共に、弱電界での不安定な状態での周波数の判別を行わなくて済む。また、受信信号の有無を同期信号で判別するため、同期判別手段の周波数特性も広い帯域を必要とせず雑音による誤動作の可能性も大きく軽減できる。さらに、受信周波数を特定周波数分ずらすことにより、その付近に存在している何らかの信号、すなわち、妨害波を誤って受信することによる同期判別の誤動作も軽減出来る。従って、上記従来の方法に比べ、より高速でかつ正確なチャンネルプリセット動作を行うことができる。
【００２５】
第９の発明は、テレビ放送信号を受信する機器において実行され、オートサーチ手法によって放送波が受信可能なチャンネル（以下、有放送チャンネルという）を自動的にプリセットするためのコンピュータプログラムを記録した媒体であって、
第Ｎ（Ｎは、１〜チャンネルプランにおける最大チャンネル数）チャンネルの周波数ｆＮ、当該周波数ｆＮから予め定めた周波数α分を上側にシフトした周波数（ｆＮ＋α）、および当該周波数ｆＮから予め定めた周波数β分を下側にシフトした周波数（ｆＮ−β）のそれぞれを選局周波数として選局動作を行い、信号を受信するステップと、
選局動作によって受信する信号のうち、当該信号の選局周波数から予め定めた周波数α分下側となる周波数帯域の信号成分を減衰させるステップと、
周波数ｆＮで選局した場合、周波数（ｆＮ＋α）で選局した場合、および周波数（ｆＮ−β）で選局した場合のそれぞれにおいて、減衰させるステップが出力する信号のうちの水平・垂直同期信号の有無をそれぞれ判別するステップと、
周波数ｆＮで選局した際に水平・垂直同期信号が有り、かつ、周波数（ｆＮ＋α）で選局した際に水平・垂直同期信号が無く、かつ、周波数（ｆＮ−β）で選局した際に水平・垂直同期信号が有る場合に、第Ｎチャンネルが有放送チャンネルであると判断するステップと、
有放送チャンネルであると判断したチャンネルのみをプリセットするステップとを含む動作環境を、機器上で実現するためのコンピュータプログラムを記録している。
【００２６】
第１０の発明は、第９の発明において、周波数ｆＮにおける選局動作時の電界強度を検出するステップと、
周波数ｆＮにおける選局動作によって得られる信号について、水平・垂直同期信号のノイズ量を検出するステップと、
電界強度が強電界であって、かつ、ノイズ量が多い場合には、周波数（ｆＮ＋α）および周波数（ｆＮ−β）における選局動作時の信号増幅利得を下げるステップとをさらに含む。
【００２７】
上記のように、第９および第１０の発明は、上記第１および第２の発明の自動チャンネルプリセット方法を実行するためのコンピュータプログラムを記録した記録媒体である。これは、既存の機器に対し、上記第１および第２の発明の自動チャンネルプリセット方法を、ソフトウエアの形態で供給することに対応させたものである。
【００２８】
【発明の実施の形態】
本発明の自動チャンネルプリセット方法および装置は、テレビ放送信号を受信する機器に用いることができるが、以下、地上波を受信するテレビジョン受像機に用いた場合を一例に挙げて説明する。
【００２９】
（第１の実施形態）
図１は、本発明の第１の実施形態に係る自動チャンネルプリセット方法を実行する自動チャンネルプリセット装置の構成を示すブロック図である。図１において、自動チャンネルプリセット装置は、アンテナ１と、チューナ２と、検波回路３と、同期判別回路４と、選局制御マイコン５と、メモリ６とを備える。また、検波回路３は、隣接トラップ３１と、映像検波回路３２と、音声検波回路３３とを備える。
なお、テレビジョン受像機の基本的な構成および動作は、すでに周知の技術であるため、ここでの詳細な説明は省略する。
【００３０】
アンテナ１は、テレビ放送チャンネルの地上波（放送波）を受信する地上波用アンテナである。チューナ２は、シンセサイザ方式の地上波用チューナであり、選局制御マイコン５の指示する受信周波数の信号をアンテナ１が受信する放送波から取り出し、増幅および中間周波信号に変換して出力する。隣接トラップ３１は、隣接する下側チャンネルの音声搬送波を減衰させるＳＡＷフィルタで構成されるトラップ回路である。映像検波回路３２は、中間周波信号の映像検波を行って映像検波出力信号（輝度信号，搬送色信号，同期信号など）を抽出する。同期判別回路４は、映像検波回路３２が抽出した信号に同期信号があるか否かを判別し、判別結果を選局制御マイコン５へ出力する。選局制御マイコン５は、チューナ２の選局周波数の制御、同期判別回路４から入力する同期判別結果に基づいたチャンネルの有無の判定、および判定結果をメモリ６に書き込む動作を行う。
【００３１】
以下、上記構成による自動チャンネルプリセット装置において行う第１の実施形態に係る自動チャンネルプリセット方法を、さらに図２を参照して詳細に説明する。
図２は、本発明の第１の実施形態に係る自動チャンネルプリセット方法の処理手順を示すフローチャートである。
【００３２】
ユーザからの指示によりチャンネルプリセットが開始されると、選局制御マイコン５は、選局するチャンネル番号を示すカウンタＮ（Ｎは、日本国内の地上波受信においては、チャンネルプランに対応した１〜６２の範囲をとる）およびチャンネルを記憶するポジション番号を示すカウンタＰにそれぞれ「０」を入力して初期化する（ステップＳ２０１）。初期化が終わると、選局制御マイコン５は、カウンタＮに「１」を加えた後（最初のフローではＮ＝１となる）（ステップＳ２０２）、チューナ２に対して第Ｎチャンネルを選局するように、すなわち、第Ｎチャンネルの周波数ｆＮで選局するように指示する（ステップＳ２０３）。
【００３３】
チューナ２は、選局制御マイコン５が指示する第Ｎチャンネルを選局し、得られた受信信号を検波回路３へ出力する。検波回路３は、まず、チューナ２から入力する受信信号を隣接トラップ３１を通して、第Ｎチャンネルの下側である第（Ｎ−１）チャンネルの音声搬送波を減衰させる。次に、検波回路３は、隣接トラップ３１で減衰させた受信信号を映像検波回路３２に入力して映像検波を行い、検波出力信号を得る。この検波出力信号は、ローパスフィルタ（図示せず）を介して、すなわち、水平・垂直同期信号だけが抽出されて同期判別回路４へ入力される。同期判別回路４は、検波回路３がローパスフィルタを介して出力する信号を入力し、水平・垂直同期信号があるか否かを判別して、当該判別の結果（以下、第１の同期結果という）を選局制御マイコン５へ出力する（ステップＳ２０４）。
【００３４】
上記ステップＳ２０４の判別において、水平・垂直同期信号がないという第１の同期結果を同期判別回路４から受けた場合、選局制御マイコン５は、第Ｎチャンネル（最初のフローではＮ＝１となる）の放送波は存在しないと判断する。なぜならば、第１の同期結果が水平・垂直同期信号は存在しないということは、第Ｎチャンネル付近に放送波が無いということに他ならないからである。
この結果の場合、選局制御マイコン５は、上記ステップＳ２０２に戻って次のチャンネル（最初のフローでは第２チャンネル）の選局に移行する。
【００３５】
一方、上記ステップＳ２０４の判別において、水平・垂直同期信号があるという第１の同期結果を同期判別回路４から受けた場合、選局制御マイコン５は、第Ｎチャンネル（最初のフローではＮ＝１となる）の放送波は存在する可能性があると判断し、続いて（第Ｎチャンネルの周波数ｆＮ＋１．５ＭＨｚ）の周波数で選局を行うようにチューナ２に対して指示する（ステップＳ２０５）。このように、さらに別の周波数で選局を行うのは、通常の検波回路３が送信系の問題や受信機側の温度特性等で搬送周波数や中間周波数がずれることを考慮して搬送波や中間周波数が幾分ずれても検波できるように設計されていることに鑑み、同期した信号が第Ｎチャンネルの信号なのか、テレビのチャンネルプラン上存在し得ない、つまり、混変調等により発生したスプリアス成分などの妨害波なのかを判断するためである。
なお、この周波数ｆＮに加算する１．５ＭＨｚは、第Ｎチャンネルの映像搬送波と下側である第（Ｎ−１）チャンネルの音声搬送波との周波数差である。
【００３６】
この選局制御マイコン５からの（ｆＮ＋１．５ＭＨｚ）の周波数による選局指示に対し、チューナ２、検波回路３および同期判別回路４は、上述と同様の処理を行い、判別の結果（以下、第２の同期結果という）を選局制御マイコン５へ出力する（ステップＳ２０６）。
【００３７】
上記ステップＳ２０６の判別において、水平・垂直同期信号があるという第２の同期結果を同期判別回路４から受けた場合、選局制御マイコン５は、結局第Ｎチャンネル（最初のフローではＮ＝１となる）の放送波は存在しないと判断する。なぜならば、選局する周波数を＋１．５ＭＨｚずらしても水平・垂直同期信号があるということは、第Ｎチャンネルの信号は隣接トラップ３１によって減衰して受信できないはずであるにもかかわらず、第Ｎチャンネル周波数付近に存在している何らかの信号、すなわち、妨害波を受信して同期したと判断できるからである。
この結果の場合、選局制御マイコン５は、上記ステップＳ２０２に戻って次のチャンネル（最初のフローでは第２チャンネルとなる）の選局に移行する。
【００３８】
一方、上記ステップＳ２０６の判別において、水平・垂直同期信号がないという第２の同期結果を同期判別回路４から受けた場合、選局制御マイコン５は、第Ｎチャンネル（最初のフローではＮ＝１となる）の放送波は存在する可能性があると判断し、さらに続いて（第Ｎチャンネルの周波数ｆＮ−１．０ＭＨｚ）の周波数で選局を行うようにチューナ２に対して指示する（ステップＳ２０７）。
なお、この周波数ｆＮから減算する１．０ＭＨｚは、一具体例であって映像中間周波増幅回路の特性に合った値にする必要がある。
【００３９】
この選局制御マイコン５からの（ｆＮ−１．０ＭＨｚ）の周波数による選局指示に対し、チューナ２、検波回路３および同期判別回路４は、上述と同様の処理をさらに行い、判別の結果（以下、第３の同期結果という）を選局制御マイコン５へ出力する（ステップＳ２０８）。
【００４０】
上記ステップＳ２０８の判別において、水平・垂直同期信号がないという第３の同期結果を同期判別回路４から受けた場合、選局制御マイコン５は、最終的に第Ｎチャンネル（最初のフローではＮ＝１となる）の放送波は存在しないと判断する。なぜならば、選局する周波数を−１．５ＭＨｚずらして水平・垂直同期信号がないということは、第Ｎチャンネルの信号はもちろんのこと、妨害波の信号すら存在しないと判断できるからである。
この結果の場合、選局制御マイコン５は、上記ステップＳ２０２に戻って次のチャンネル（最初のフローでは第２チャンネルとなる）の選局に移行する。
【００４１】
一方、上記ステップＳ２０８の判別において、水平・垂直同期信号があるという第３の同期結果を同期判別回路４から受けた場合、選局制御マイコン５は、第Ｎチャンネル（最初のフローではＮ＝１となる）の放送波は存在すると最終的に判断し、カウンタＰに「１」を加えた後（最初のフローではＰ＝１となる）（ステップＳ２０９）、第Ｐポジションに第Ｎチャンネルを記憶する（ステップＳ２１０）。
この後、選局制御マイコン５は、上記ステップＳ２０２に戻って次のチャンネル（最初のフローでは第２チャンネルとなる）の選局に移行する。
【００４２】
このように、上記ステップＳ２０２〜Ｓ２１０までの処理を第１チャンネル〜第６２チャンネル（ただし、日本国内における地上波受信の場合である）についてそれぞれ行うことで、誤動作のないチャンネルプリセットが完了する。
【００４３】
次に、上記ステップＳ２０２〜Ｓ２１０までの処理を行うことで、誤動作のないチャンネルプリセットが可能となることを、第１の実施形態に係る自動チャンネルプリセット方法を用いることで最も効果を発揮する「第Ｎチャンネルの放送波（周波数ｆＮ）は存在しないが、第Ｎチャンネルの放送波に近い周波数で妨害波が存在する」という電波状況の場合を一例に挙げて具体的に説明する。
【００４４】
上記電波状況において、周波数ｆＮの上側の周波数に妨害波がある場合、まず、第Ｎチャンネルの周波数ｆＮで選局を行うと、第Ｎチャンネルの周波数ｆＮが存在しないにもかかわらず、近い周波数である妨害波の同期を拾ってしまい、第１の同期結果として水平・垂直同期信号があると判別される。次に、周波数をずらして（ｆＮ＋１．５ＭＨｚ）の周波数で選局を行っても、やはり妨害波の同期を拾ってしまい、第２の同期結果として水平・垂直同期信号があると判別される。従って、この条件の場合、第１および第２の同期結果ともに同期ありという判定が出されるため、正確に第Ｎチャンネルの放送波は存在しないと判断できる。
一方、上記電波状況において、周波数ｆＮの下の周波数に妨害波がある場合、第Ｎチャンネルの周波数ｆＮで選局を行うと、下側の周波数の妨害波は隣接トラップ３１により減衰してしまうため、言うまでもなく第１の同期結果として水平・垂直同期信号がないと判別される。
【００４５】
以上のように、第１の実施形態に係る自動チャンネルプリセット方法によれば、ＡＦＴ回路の削除によるコストダウンが図れると共に、弱電界での不安定な状態での周波数の判別を行わなくて済む。また、受信信号の有無を同期信号で判別するため、判別回路の周波数特性も広い帯域を必要とせず雑音による誤動作の可能性も大きく軽減できる。さらに、受信周波数を特定周波数分（＋１．５ＭＨｚ，−１．０ＭＨｚ）ずらすことにより、その付近の他のチャンネルのスプリアス成分を誤って受信することによる同期判別の誤動作も軽減出来る。
従って、第１の実施形態に係る自動チャンネルプリセット方法は、上記従来の方法に比べ、より高速でかつ正確なチャンネルプリセット動作を行うことができる。
【００４６】
（第２の実施形態）
図３は、本発明の第２の実施形態に係る自動チャンネルプリセット方法を実行する自動チャンネルプリセット装置の構成を示すブロック図である。図３において、自動チャンネルプリセット装置は、アンテナ１と、チューナ２と、検波回路３と、同期判別回路４と、選局制御マイコン５と、メモリ６と、ノイズ検出回路７とを備える。また、検波回路３は、隣接トラップ３１と、映像検波回路３２と、音声検波回路３３とを備える。
【００４７】
図３に示すように、第２の実施形態に係る自動チャンネルプリセット方法を実行する自動チャンネルプリセット装置は、上記第１の実施形態に係る自動チャンネルプリセット方法を実行する自動チャンネルプリセット装置の構成に、ノイズ検出回路７をさらに加えた構成である。
なお、第２の実施形態に係る自動チャンネルプリセット方法を実行する自動チャンネルプリセット装置のその他の構成は、上記第１の実施形態に係る自動チャンネルプリセット方法を実行する自動チャンネルプリセット装置の構成と同様であるため、以下当該その他の構成部分については同一の参照番号を付して説明を省略する。
【００４８】
ノイズ検出回路７は、映像検波回路３２が映像検波によって抽出した映像検波出力信号の水平・垂直同期信号を入力し、水平・垂直同期信号のノイズ量を検出して選局制御マイコン５へ伝える。選局制御マイコン５は、上記第１の実施形態において述べた動作に加え、さらにノイズ検出回路７から受けるノイズ量を判断して、チューナ２が受信する信号の増幅利得をＲＦ−ＡＧＣディレー信号によって制御する。また、選局制御マイコン５は、チューナ２が行う増幅利得値をフィードバックされるＲＦ−ＡＧＣ信号によって確認する。
【００４９】
以下、上記構成による自動チャンネルプリセット装置において行う第２の実施形態に係る自動チャンネルプリセット方法を、さらに図４を参照して詳細に説明する。
図４は、本発明の第２の実施形態に係る自動チャンネルプリセット方法の処理手順を示すフローチャートである。なお、図４において、上記図２と同じステップ番号で示されている各ステップは、上記第１の実施形態において説明した処理と同様の処理を行うため、以下の説明は省略する。
【００５０】
チューナ２は、選局制御マイコン５が指示する第Ｎチャンネルを選局し、得られた受信信号を検波回路３へ出力する。また、チューナ２は、現状の電界強度レベルをＲＦ−ＡＧＣ信号として選局制御マイコン５へ出力する。検波回路３は、チューナ２から入力する受信信号から隣接トラップ３１および映像検波回路３２を介して得た検波出力信号を、ローパスフィルタを介して同期判別回路４およびノイズ検出回路７へ出力する。同期判別回路４は、検波回路３がローパスフィルタを介して出力する信号を入力し、水平・垂直同期信号があるか否かを判別して、当該判別の結果（以下、第１の同期結果という）を選局制御マイコン５へ出力する（ステップＳ２０４）。
【００５１】
上記ステップＳ２０４の判別において、水平・垂直同期信号があるという第１の同期結果を同期判別回路４から受けた場合、選局制御マイコン５は、まず、チューナ２から受けるＲＦ−ＡＧＣ信号を確認し、現状の電界強度レベルが強電界なのか弱電界なのかを判断する（ステップＳ４０１）。このステップＳ４０１において現状の電界強度レベルが弱電界であると判断した場合、選局制御マイコン５は、自己の回路内での混変調等は発生していないと判断し、ステップＳ２０５へ進んで以下上記第１の実施形態で述べたのと同様に処理を行う。
【００５２】
一方、上記ステップＳ４０１において現状の電界強度レベルが強電界であると判断した場合、選局制御マイコン５は、次にノイズ検出回路７から受けるノイズ量を判断する（ステップＳ４０２）。このステップＳ４０２の判断においてノイズ量が少ないと判断した場合、選局制御マイコン５は、自己の回路内での混変調等は発生していないと判断し、ステップＳ２０５へ進んで以下上記第１の実施形態で述べたのと同様に処理を行う。一方、上記ステップＳ４０２の判断においてノイズ量が多いと判断した場合、選局制御マイコン５は、自己の回路内での混変調等が発生している可能性があると判断し、誤動作を回避するためチューナ２に対してＲＦ−ＡＧＣディレー信号をチューナ２の信号増幅利得を下げる方向に制御する（ステップＳ４０３）。
なお、チューナ２の信号増幅利得を下げる率は、一義的に決定されるものではなく、チューナ２の回路特性等を判断して任意に決定することができる。
【００５３】
そして、その後、選局制御マイコン５は、チューナ２の信号増幅利得を下げた状態で、以下のステップＳ２０５〜Ｓ２１０の処理を上記第１の実施形態で述べたのと同様に行う。
【００５４】
以上のように、第２の実施形態に係る自動チャンネルプリセット方法によれば、強電界時において、ノイズ量が少なくなるように強制的にチューナ２の増幅利得を制御することで自己の回路内での混変調の発生を防止し、誤動作（誤検出）の発生を回避すると共に、隣接トラップ３１の減衰量のバラツキによる誤動作の発生をも回避することができる。
従って、第２の実施形態に係る自動チャンネルプリセット方法は、上記第１の実施形態に係る自動チャンネルプリセット方法に比べ、さらに精度の高いチャンネルプリセット動作を行うことができる。
【００５５】
なお、典型的には、上記第１および第２の実施形態に係る自動チャンネルプリセット方法は、所定のプログラムデータが格納された記憶装置（ＲＯＭ，ＲＡＭ，ハードディスク等）と、当該プログラムデータを実行するＣＰＵ（セントラル・プロセッシング・ユニット）とによって実現される。この場合、各プログラムデータは、ＣＤ−ＲＯＭやフロッピーディスク等の記録媒体を介して導入されてもよい。
【図面の簡単な説明】
【図１】本発明の第１の実施形態に係る自動チャンネルプリセット方法を実行する自動チャンネルプリセット装置の構成を示すブロック図である。
【図２】本発明の第１の実施形態に係る自動チャンネルプリセット方法の処理手順を示すフローチャートである。
【図３】本発明の第２の実施形態に係る自動チャンネルプリセット方法を実行する自動チャンネルプリセット装置の構成を示すブロック図である。
【図４】本発明の第２の実施形態に係る自動チャンネルプリセット方法の処理手順を示すフローチャートである。
【図５】従来の自動チャンネルプリセット方法を実行する自動チャンネルプリセット装置の構成を示すブロック図である。
【符号の説明】
１…アンテナ
２…チューナ
３…検波回路
４…同期判別回路
５…選局制御マイコン
６…メモリ
７…ノイズ検出回路
１０…ＡＦＴ
３１…隣接トラップ
３２…映像検波回路
３３…音声検波回路
【図１】
0004150113.tif 000002
【図２】
0004150113.tif 000003
【図３】
0004150113.tif 000004
【図４】
0004150113.tif 000005
【図５】
0004150113.tif 000006